(57)【要約】【課題】多重書きされる複数のデータを記録媒体上でなるべく分散させ、ディスクの傷、バーストエラー等に対する耐性を高くする。【解決手段】ＵＤＩエリアの先頭にヘッダとしてのペイロード０が記録される。ペイロード０および他のペイロードを記録する場合に、エラー対策のために、それぞれが５重記録される。ペイロード０の後に、ペイロード１等の他のペイロードが記録される。５重記録を行う場合、同じペイロードナンバーのものをまとめて５重に記録するようになされる。スタートタイムＳから１秒後の位置からＵＤＩが記録される。ペイロードが１２フレーム間隔の位置に配置される。それによって、多重書きされる５個のデータがディスクの径方向に並ばないで、トラック上に広く分散され、エラー耐性が高くなる。データの間隔は、多重書きの回数、線速度、ディスク上の記録位置等で最適な値が設定される。【選択図】　図１７
2004030701.tif 000002
【特許請求の範囲】
【請求項１】
所定のデータがｎ重書き（ｎは、２以上の整数）して記録される円盤状記録媒体であって、
上記ｎ重書きされた所定のデータのそれぞれが円周上で広く分散されるように記録されてなる円盤状記録媒体。
【請求項２】
請求項１において、
上記ｎ重書きされた所定のデータが円周上で略等角間隔で配置された円盤状記録媒体。
【請求項３】
請求項１において、
上記所定のデータは、エラー検出および／またはエラー訂正符号で符号化されている円盤状記録媒体。
【請求項４】
請求項１において、
線速度とｎの値とで、多重書きされるデータの間隔が設定された円盤状記録媒体。
【請求項５】
請求項１において、
上記所定のデータは、ＣＤフォーマットにおけるサブコードである円盤状記録媒体。
【請求項６】
請求項１において、
上記所定のデータが１２フレーム間隔で５重書きされた円盤状記録媒体。
【請求項７】
所定のデータがｎ重書き（ｎは、２以上の整数）して記録される矩形状記録媒体であって、
上記ｎ重書きされた所定のデータのそれぞれが記録方向の一辺上に広く分散されるように記録されてなる矩形状記録媒体。
【請求項８】
請求項７において、
上記ｎ重書きされた所定のデータが一辺上で略等間隔で配置された矩形状記録媒体。
【請求項９】
請求項７において、
上記所定のデータは、エラー検出および／またはエラー訂正符号で符号化されている矩形状記録媒体。
【請求項１０】
所定のデータをｎ重書き（ｎは、２以上の整数）して円盤状記録媒体に記録するデータ記録方法において、
上記ｎ重書きされた所定のデータのそれぞれが円周上で広く分散されるように記録するデータ記録方法。
【請求項１１】
請求項１０において、
上記ｎ重書きされた所定のデータを円周上で略等角間隔で配置するように記録するデータ記録方法。
【請求項１２】
請求項１０において、
上記所定のデータをエラー検出および／またはエラー訂正符号で符号化して記録するデータ記録方法。
【請求項１３】
請求項１０において、
線速度とｎの値とで、多重書きされるデータの間隔を設定するデータ記録方法。
【請求項１４】
請求項１０において、
上記所定のデータは、ＣＤフォーマットにおけるサブコードであるデータ記録方法。
【請求項１５】
請求項１０において、
上記所定のデータを１２フレーム間隔で５重書きするデータ記録方法。
【請求項１６】
所定のデータをｎ重書き（ｎは、２以上の整数）して矩形状記録媒体に記録するデータ記録方法において、
上記ｎ重書きされた所定のデータのそれぞれが記録方向の一辺上に広く分散されるように記録するデータ記録方法。
【請求項１７】
請求項１６において、
上記ｎ重書きされた所定のデータが矩形状記録媒体の一辺上で略等間隔で配置されるように記録するデータ記録方法。
【請求項１８】
請求項１６において、
上記所定のデータをエラー検出および／またはエラー訂正符号で符号化して記録するデータ記録方法。
【請求項１９】
所定のデータをｎ重書き（ｎは、２以上の整数）して円盤状記録媒体に記録するデータ記録装置において、
上記ｎ重書きされた所定のデータのそれぞれが円周上で広く分散されるように記録するデータ記録装置。
【請求項２０】
所定のデータをｎ重書き（ｎは、２以上の整数）して矩形状記録媒体に記録するデータ記録装置において、
上記ｎ重書きされた所定のデータのそれぞれが記録方向の一辺上に広く分散されるように記録するデータ記録装置。
【発明の詳細な説明】
【０００１】
【発明の属する技術分野】
この発明は、データを記録媒体に対して多重書きするのに適用される円盤状記録媒体、矩形状記録媒体、データ記録方法およびデータ記録装置に関する。
【０００２】
【従来の技術】
記録媒体に対して所望のデータを記録する場合、データのエラーに対する耐性を高めるために、同一データを繰り返し記録する方法（多重書き）が知られている。多重書きによって、複数のデータの中の一つのデータでもエラーでなければ、そのエラーでないデータをエラーでないデータとして利用できる。従来では、多重書きされるデータの記録位置については、十分な考慮が払われていなかった。
【０００３】
【発明が解決しようとする課題】
特に、円盤状記録媒体においては、多重書きの間隔がトラックの１周前後の場合には、複数のデータの記録位置が記録媒体の径方向に並び、放射状に発生するスクラッチなどによって多重書きされたデータが全てエラーとなるおそれがあった。
【０００４】
したがって、この発明の目的は、多重書きされる複数のデータが記録媒体上でなるべく離れた位置に配置することによって、記録媒体の傷等によって生じるエラーに対する耐性が向上するようにした円盤状記録媒体、矩形状記録媒体、データ記録方法およびデータ記録装置を提供することにある。
【０００５】
【課題を解決するための手段】
上述した課題を解決するために、請求項１の発明は、所定のデータがｎ重書き（ｎは、２以上の整数）して記録される円盤状記録媒体であって、
ｎ重書きされた所定のデータのそれぞれが円周上で広く分散されるように記録されてなる円盤状記録媒体である。
【０００６】
請求項７の発明は、所定のデータがｎ重書き（ｎは、２以上の整数）して記録される矩形状記録媒体であって、
ｎ重書きされた所定のデータのそれぞれが記録方向の一辺上に広く分散されるように記録されてなる矩形状記録媒体である。
【０００７】
請求項１０の発明は、所定のデータをｎ重書き（ｎは、２以上の整数）して円盤状記録媒体に記録するデータ記録方法において、
ｎ重書きされた所定のデータのそれぞれが円周上で広く分散されるように記録するデータ記録方法である。請求項１９の発明は、所定のデータのそれぞれが円周上で広く分散されるように記録するデータ記録装置である。
【０００８】
請求項１６の発明は、所定のデータをｎ重書き（ｎは、２以上の整数）して矩形状記録媒体に記録するデータ記録方法において、
ｎ重書きされた所定のデータのそれぞれが記録方向の一辺上に広く分散されるように記録するデータ記録方法である。請求項２０の発明は、所定のデータのそれぞれが記録方向の一辺上に広く分散されるように記録するデータ記録装置である。
【０００９】
この発明では、多重書きされる複数のデータが記録媒体上でなるべく分散して記録されるようにし、ディスクの傷、バーストエラー等に対するエラー耐性が強められる。
【００１０】
【発明の実施の形態】
以下、この発明について説明する。図１および図２は、この発明を円盤状記録媒体（単にディスクと称する）に対して適用したいくつかの例を示す。図１は、同心円状にトラックが形成されたディスクに対して所定のデータＡを多重書きする場合を示す。多重書きの回数をｎとすると、同一のデータＡ１，Ａ２　，・・・，Ａｎがディスク上に記録される。図１では、ｎ＝２，ｎ＝３，ｎ＝４，ｎ＝５，ｎ＝６の例が示されている。
【００１１】
多重書きされる複数のデータの角間隔θを（θ＝３６０°／ｎ）に選定する。すなわち、（ｎ＝２：θ＝１８０°）（ｎ＝３：θ＝１２０°）（ｎ＝４：θ＝９０°）（ｎ＝５：θ＝７２°）（ｎ＝６：θ＝６０°）に選定される。但し、角間隔θの値は、正確にこれらの値に一致する必要はなく、ほぼ一致すれば良い。
【００１２】
角間隔θの値を上述したように選定することによって、多重書きされたデータ同士のトラック上の距離を最大とすることができ、また、複数のデータが径方向に並ぶことを防止することができる。それによって、ディスクの傷、指紋等によるエラー、並びにバーストエラーに対して強くできる。
【００１３】
図１では、同一トラック上にデータＡ１〜Ａｎが記録されているが、データＡ１〜Ａｎが異なるトラックとなっても良い。また、ｎ＝５の場合では、７２°以外に約１４４°、約２１６°に角間隔θを選ぶようにしても良い。つまり、Ａ１〜Ａ５が順序と無関係に約７２°の角間隔で配置されれば良い。
【００１４】
図２は、ディスク上に渦巻き状にトラックが形成される場合にこの発明を適用した例を示す。ｎ＝５の場合が図２に示されている。一方の例は、データＡ１〜Ａ５を順に約７２°の角間隔で記録したものであり、他方の例は、データＡ１〜Ａ５を順に約２１６°の角間隔で記録したものである。
【００１５】
この発明は、ディスクに限らず矩形の記録媒体（カード状記録媒体）に対しても適用可能である。図３は、その場合の多重書き（例えばｎ＝４）の場合の一例および他の例を示す。カード状記録媒体にほぼ平行に複数のトラックが形成される場合に、ｎ番目のトラックにデータＡ１が記録され、（ｎ＋１）番目のトラックにデータＡ２が記録され、（ｎ＋２）番目のトラックにデータＡ３が記録され（ｎ＋３）番目のトラックにデータＡ４が記録される。１トラックの長さをＬとすると、トラック方向では、データ間が約（Ｌ／ｎ）（図示の例では、Ｌ／４）の間隔で記録される。最後に記録されるデータＡ４と次に多重書きされるデータの最初のものＡ１’との間隔も約（Ｌ／４）とされる。
【００１６】
図３に示す他の例は、多重書きされるデータを別々のトラックにすると共に、トラック方向では、約（Ｌ／（ｎ−１））（図示の例では、Ｌ／３）の間隔で多重書きを行う。他の例では、最後に記録されるデータは、トラックの端に位置することになる。さらに、形状は、矩形であるが、同心円または渦巻きのトラックが形成される記録媒体に対してもこの発明を適用することができる。
【００１７】
以下、この発明をディスク識別情報（以下、ＵＤＩと称する）をディスク状記録媒体に対して記録する場合に適用した一実施形態について説明する。ＵＤＩは、例えば既存のＣＤプレーヤまたはＣＤ−ＲＯＭドライブによって読み取ることが可能なように記録される。最初に、一実施形態の理解を容易とするために、光ディスク例えばＣＤの構造について説明する。
【００１８】
図４は、既存のＣＤの一部を拡大して示すものである。所定のトラックピッチＴｐ（例えば１．６μｍ）のトラック上に、ピットと呼ばれる凹部と、ピットが形成されてないランドとが交互に形成されている。ピットおよびランドの長さは、３Ｔ〜１１Ｔの範囲内とされている。Ｔは、最短の反転間隔である。ＣＤには、下側からレーザ光が照射される。
【００１９】
レーザ光が当たる下側から順に、厚さ１．２ｍｍの透明ディスク基板１と、その上に被覆された反射膜２と、反射膜２に被覆された保護膜３とが順に積層された構造とされている。反射膜２は、高い反射率を持つものが使用される。ＣＤは、読み出し専用ディスクであるが、後述するように、反射膜２が被覆された後に、反射膜２に対してレーザ光を使用して情報（ＵＤＩ）が記録される。
【００２０】
このようなＣＤの製造工程の流れを図５を参照して説明する。ステップＳ１では、ガラス板に感光物質であるフォトレジストが塗布されたガラス原盤がスピンドルモータによって回転され、記録信号に応じてオン／オフされたレーザ光がフォトレジスト膜に照射され、マスタが作成される。フォトレジスト膜が現像処理され、ポジ形レジストの場合では、感光された箇所が溶け、凹凸パターンがフォトレジスト膜上に形成される。
【００２１】
フォトレジスト原盤に対してメッキがなされる電鋳処理によって１枚のメタルマスタが作成される（ステップＳ２）。メタルマスタから複数枚のマザーが作成され（ステップＳ３）、さらに、このマザーから複数枚のスタンパが作成される（ステップＳ４）。スタンパを使用してディスク基板が作成される。ディスク基板の作成方法としては、圧縮成形、射出成形、光硬化法等が知られている。そして、ステップＳ６において、反射膜および保護膜が被着される。従来のディスク製造方法では、さらに、ラベル印刷を行うことでＣＤを製作していた。
【００２２】
一方、図５の例では、反射膜に対してレーザ光を照射して、さらに、情報を追加記録する工程Ｓ７が付加される。反射膜上のランドは、レーザ光が照射される熱処理（熱記録）によって原子が移動して膜構造や結晶性が変化し、そこの箇所の反射率が低下する。その結果、ランドであっても、レーザ光が照射された後では、戻りレーザ光が少なくなり、読取装置からは、ピットと同様に認識される。これを利用して情報を記録することができる。この場合、反射膜は、反射率がレーザ照射により変化する材料が使用される。反射率が低下するものに限らず、記録によって反射率が高くなる材料もある。
【００２３】
具体的には、アルミニウムの合金膜Ａｌ１００−ｘＸｘで反射膜が構成される。Ｘとしては、Ｇｅ，Ｔｉ，Ｎｉ，Ｓｉ，Ｔｂ，Ｆｅ、Ａｇのうちの少なくとも１種以上の元素が使用される。また、Ａｌ合金膜中の組成比ｘは、５＜ｘ＜５０〔原子％〕に選定される。
【００２４】
また、反射膜をＡｇ１００−ｘＸｘのＡｇ合金膜によって構成することもできる。その場合、Ｘとしては、Ｇｅ，Ｔｉ，Ｎｉ，Ｓｉ，Ｔｂ，Ｆｅ、Ａｌのうちの少なくとも１種以上の元素が使用される。また、Ａｌ合金膜中の組成比ｘは、５＜ｘ＜５０〔原子％〕に選定される。反射膜は、例えばマグネトロンスパッタリング法によって形成できる。
【００２５】
一例として、ＡｌＧｅ合金による反射膜を５０ｎｍの膜厚で形成し、対物レンズを介して透明基板または保護膜側からレーザ光を照射した場合に、Ｇｅの組成比が２０〔原子％〕の場合では、記録パワーが６〜７〔ｍＷ〕の場合に、反射率が６％程度低下し、Ｇｅの組成比が２７．６〔原子％〕の場合では、記録パワーが５〜８〔ｍＷ〕の場合に、反射率が７〜８％程度低下する。このような反射率の変化が生じることによって、反射膜に対する追加記録が可能となる。
【００２６】
さらに、図６は、従来のＣＤ用信号の１フレームのデータ構成を示す。ＣＤでは、２チャンネルのディジタルオーディオデータ合計１２サンプル（２４シンボル）から各４シンボルのパリティＱおよびパリティＰが形成される。この合計３２シンボルに対してサブコードの１シンボルを加えた３３シンボル（２６４データビット）をひとかたまりとして扱う。つまり、ＥＦＭ変調後の１フレーム内に、１シンボルのサブコードと、２４シンボルのデータと、４シンボルのＱパリティと、４シンボルのＰパリティとからなる３３シンボルが含まれる。
【００２７】
ＥＦＭ変調方式（ｅｉｇｈｔ　ｔｏ　ｆｏｕｒｔｅｅｎ　ｍｏｄｕｌａｔｉｏｎ：　ＥＦＭ）では、各シンボル（８データビット）が１４チャンネルビットへ変換される。ＥＦＭ変調の最小時間幅（記録信号の１と１との間の０の数が最小となる時間幅）Ｔｍｉｎ　が３Ｔであり、３Ｔに相当するピット長が０．８７μｍ　となる。Ｔに相当するピット長が最短ピット長である。また、各１４チャンネルビットの間には、３ビットの結合ビットが配される。さらに、フレームの先頭にフレームシンクパターンが付加される。フレームシンクパターンは、チャンネルビットの周期をＴとする時に、１１Ｔ、１１Ｔおよび２Ｔが連続するパターンとされている。このようなパターンは、ＥＦＭ変調規則では、生じることがないもので、特異なパターンによってフレームシンクを検出可能としている。１フレームは、総ビット数が５８８チャンネルビットからなるものである。フレーム周波数は、７．３５ｋＨｚとされている。
【００２８】
このようなフレームを９８個集めたものは、サブコードフレーム（またはサブコードブロック）と称される。９８個のフレームを縦方向に連続するように並べ換えて表したサブコードフレームは、サブコードフレームの先頭を識別するためのフレーム同期部と、サブコード部と、データおよびパリティ部とからなる。なお、このサブコードフレームは、通常のＣＤの再生時間の１／７５秒に相当する。
【００２９】
このサブコード部は、９８個のフレームから形成される。サブコード部における先頭の２フレームは、それぞれ、サブコードフレームの同期パターンであるとともに、ＥＦＭのアウトオブルール（ｏｕｔ　ｏｆ　ｒｕｌｅ）のパターンである。また、サブコード部における各ビットは、それぞれ、Ｐ，Ｑ，Ｒ，Ｓ，Ｔ，Ｕ，Ｖ，Ｗチャンネルを構成する。
【００３０】
ＲチャンネルないしＷチャンネルは、例えば静止画やいわゆるカラオケの文字表示等の特殊な用途に用いられるものである。また、ＰチャンネルおよびＱチャンネルは、ディスクに記録されているディジタルデータの再生時におけるピックアップのトラック位置制御動作に用いられるものである。
【００３１】
Ｐチャンネルは、ディスク内周部に位置するいわゆるリードインエリアでは、”０”　の信号を、ディスクの外周部に位置するいわゆるリードアウトエリアでは、所定の周期で”０”　と”１”　とを繰り返す信号を記録するのに用いられる。また、Ｐチャンネルは、ディスクのリードイン領域とリードアウト領域との間に位置するプログラム領域では、各曲の間を”１”、それ以外を”０”という信号を記録するのに用いられる。このようなＰチャンネルは、ＣＤに記録されているディジタルオーディオデータの再生時における各曲の頭出しのために設けられるものである。
【００３２】
Ｑチャンネルは、ＣＤに記録されているディジタルオーディオデータの再生時におけるより精細な制御を可能とするために設けられる。Ｑチャンネルの１サブコードフレームの構造は、図７に示すように、同期ビット部１１と、コントロールビット部１２と、アドレスビット部１３と、データビット部１４と、ＣＲＣビット部１５とにより構成される。
【００３３】
同期ビット部１１は、２ビットのデータからなり、上述した同期パターンの一部が記録されている。コントロールビット部１２は、４ビットのデータからなり、オーディオのチャンネル数、エンファシスやディジタルデータ等の識別を行うためのデータが記録されている。この４ビットのデータが”００００”の場合には、プリエンファシスなしの２チャンネルオーディオを指し、”１０００”の場合には、プリエンファシスなしの４チャンネルオーディオを指し、”０００１”の場合には、プリエンファシスつきの２チャンネルオーディオを指し、”１００１”の場合には、プリエンファシスつきの４チャンネルオーディオを指す。また、４ビットのデータが”０１００”の場合には、オーディオではないデータトラックを指す。アドレスビット部１３は、４ビットのデータからなり、後述するデータビット部１４内のデータのフォーマット（モード）や種類を示す制御信号が記録されている。ＣＲＣ部１５は、１６ビットのデータからなり、巡回符号（Ｃｙｃｌｉｃ　Ｒｅｄｕｎｄａｎｃｙ　Ｃｈｅｃｋ　ｃｏｄｅ；ＣＲＣ）のエラー検出を行うためのデータが記録されている。
【００３４】
データビット部１４は、７２ビットのデータからなる。アドレスビット部１３の４ビットのデータが”０００１”（すなわち、モード１）である場合には、データビット部１４は、図８に示すような時間コード（位置情報）が記録される構成とされる。すなわち、データビット部１４は、トラック番号部（ＴＮＯ）２１と、インデックス部（ＩＮＤＥＸ）２２と、経過時間部（分成分部（ＭＩＮ）２３、秒成分部（ＳＥＣ）２４、フレーム番号部（ＦＲＡＭＥ）２５からなる）と、ゼロ部（ＺＥＲＯ）２６と、絶対時間部（分成分部（ＡＭＩＮ）２７と、秒成分部（ＡＳＥＣ）２８と、フレーム番号部（ＡＦＲＡＭＥ）２９とからなる）とにより構成される。これらの各部は、それぞれ、８ビットのデータからなるものである。
【００３５】
トラック番号部（ＴＮＯ）２１は、２ディジットの２進化１０進法（Ｂｉｎａｒｙ　Ｃｏｄｅｄ　Ｄｅｃｉｍａｌ；ＢＣＤ）で表現される。このトラック番号部（ＴＮＯ）２１は、”００”でデータの読み出しを始めるトラックであるリードイントラックの番号を表し、”０１”ないし”９９”で各曲や楽章等の番号に該当するトラック番号を表す。また、トラック番号部（ＴＮＯ）２１は、１６進数表示の”ＡＡ”でデータの読み出しを終了するトラックであるリードアウトトラックの番号を表す。
【００３６】
インデックス部（ＩＮＤＥＸ）２２は、２ディジットのＢＣＤで表現され、”００”で一時停止、いわゆるポーズを表し、”０１”ないし”９９”で各曲や楽章等のトラックをさらに細分化したものを表す。
【００３７】
分成分部（ＭＩＮ）２３、秒成分部（ＳＥＣ）２４、フレーム番号部（ＦＲＡＭＥ）２５は、それぞれ、２ディジットのＢＣＤで表現され、合計６ディジットで各曲や楽章内での経過時間（ＴＩＭＥ）を表す。ゼロ部（ＺＥＲＯ）２６は、８ビット全てに”０”　が付与されてなる。
【００３８】
分成分部（ＡＭＩＮ）２７、秒成分部（ＡＳＥＣ）２８、フレーム番号部（ＡＦＲＡＭＥ）２９は、それぞれ、２ディジットのＢＣＤで表現され、合計６ディジットで第１曲目からの絶対時間（ＡＴＩＭＥ）を表す。
【００３９】
また、ディスクのリードイン領域におけるＴＯＣ（Ｔａｂｌｅ　ｏｆ　Ｃｏｎｔｅｎｔｓ　）でのデータビット部２４の構造は、図９に示すように、トラック番号部（ＴＮＯ）３１と、ポイント部（ＰＯＩＮＴ）３２と、経過時間部（分成分部（ＭＩＮ）３３、秒成分部（ＳＥＣ）３４、フレーム番号部（ＦＲＡＭＥ）３５からなる）と、ゼロ部（ＺＥＲＯ）３６と、絶対時間部（分成分部（ＰＭＩＮ）３７、秒成分部（ＰＳＥＣ）３８、フレーム番号部（ＰＦＲＡＭＥ）３９からなる）とにより構成され、これらの各部は、それぞれ、８ビットのデータからなる。
【００４０】
トラック番号部（ＴＮＯ）３１、経過時間の分成分部（ＭＩＮ）３３、秒成分部（ＳＥＣ）３４、フレーム番号部（ＦＲＡＭＥ）３５は、いずれも１６進数表示で”００”に固定され、ゼロ部（ＺＥＲＯ）３６は、上述したゼロ部（ＺＥＲＯ）２６と同様に、８ビット全てに”００”が付与されてなる。
【００４１】
また、絶対時間分成分部（ＰＭＩＮ）３７は、ポイント部（ＰＯＩＮＴ）３２が１６進数表示で”Ａ０”の場合には、最初の曲番号あるいは楽章番号を示し、ポイント部（ＰＯＩＮＴ）３２が１６進数表示で”Ａ１”の場合には、最初の曲番号あるいは楽章番号を示す。また、ポイント部（ＰＯＩＮＴ）３２が１６進数表示で”Ａ２”の場合には、絶対時間分成分部（ＰＭＩＮ）３７、絶対時間秒成分部（ＰＳＥＣ）３８、絶対時間フレーム番号部（ＰＦＲＡＭＥ）３９は、それぞれ、リードアウト領域が始まる絶対時間（ＰＴＩＭＥ）を示す。さらに、ポイント部（ＰＯＩＮＴ）３２が２ディジットのＢＣＤで表現される場合には、絶対時間の分成分部（ＰＭＩＮ）３７、秒成分部（ＰＳＥＣ）３８、フレーム番号部（ＰＦＲＡＭＥ）３９は、それぞれ、その数値で示される各曲あるいは楽章が始まるアドレスを絶対時間（ＰＴＩＭＥ）で表したものとなる。
【００４２】
このように、Ｑチャンネルは、ディスクのプログラム領域とリードイン領域とでフォーマットが若干異なるものの、ともに２４ビットで表される時間情報が記録される。図８に示すモード１のＱチャンネルのサブコードは、ディスク上でどの連続する１０サブコードフレームをとっても９サブコードフレーム以上入っていることがＣＤの規格上で決められている。上述したように、サブコードフレームとは、先頭の２フレームが同期パターンとされたサブコードの１区切りを構成する連続する９８フレームである。
【００４３】
一方、モード１以外のモード２〜モード５の他のモードのサブコードの場合は、連続する１００サブコードフレーム中で１個以上存在していれば良いと規定されている。なお、モード２、モード３は、ＵＰＣ／ＥＡＮ（Ｕｎｉｖｅｒｓａｌ　Ｐｒｏｄｕｃｔ　Ｃｏｄｅ／Ｅｕｒｏｐｅａｎ　Ａｒｔｉｃｌｅ　Ｎｕｍｂｅｒ）コード、ＩＳＲＣ（Ｉｎｔｅｒｎａｔｉｏｎａｌ　Ｓｔａｎｄａｒｄ　Ｒｅｃｏｒｄｉｎｇ　Ｃｏｄｅ）コードを記録するのに使用される。モード４は、ＣＤＶで使用されるものである。モード５は、マルチセッションのＣＤ−ＥＸＴＲＡのリードインで使用されるものである。したがって、モード１、モード２およびモード３のＱチャンネルのサブコードを考慮すれば実際には充分であり、モード４およびモード５についての説明は、以下では省略されている。
【００４４】
上述したように、この発明の一実施形態では、反射膜に対してレーザ光を照射することによって、反射率の変化を生じさせ、ＵＤＩを記録するようになされる。ＵＤＩは、スタンパユニークな第１のデータとディスクユニークな第２のデータとからなり、個々のディスクを識別するための情報である。第１のデータの例は、ディスク製造者名、ディスク販売者名、製造工場名、製造年等である。第２のデータの例は、シリアル番号、時間情報等である。一実施形態では、ＵＤＩは、サブコードのＱチャンネルのデータフォーマットで記録される。したがって、ＵＤＩは、サブコードのＱチャンネルの新たなモードということができる。ここでは、モード７がＵＤＩを記録するためのＱチャンネルのモードと定めている。
【００４５】
このように、ＵＤＩが第１および第２のデータから構成されている場合では、ＵＤＩの全てのデータを反射膜に対する記録方法で記録すると、制限された時間内で記録を行う関係上、ＵＤＩのデータ量を多くすることができない。そこで、一実施形態では、スタンパユニークな第１のデータを凹凸パターンとして記録し、ディスクユニークな第２のデータを反射膜に対する記録方法を使用して記録する。さらに、一実施形態では、製造された後に、ディスクに対して反射膜に対する記録方法でもって任意のデータ（第３のデータ）を記録可能としている。実際の記録は、専用の記録装置を備えているレコード店、レンタルショップ等で行なわれる。任意のデータは、店名コード、レンタル回数、ユーザＩＤ等である。
【００４６】
以下の説明では、凹凸パターンとしてマスタリング工程で記録する方法をプリプレスと称し、反射膜に対する追加的な記録方法をプリ記録と称する。また、ＵＤＩデータの本体部分をペイロードと称するが、プリプレスされるペイロードとプリ記録されるペイロードを総称してＰ−ペイロードと称し、後で記録される第３のデータの本体部分をＲ（Ｒｅｃｏｒｄａｂｌｅ）−ペイロードと称する。さらに、ヘッダとしてのペイロードをペイロード０と称する。
【００４７】
図１０Ａは、９８フレーム分からなるサブコードフレームによって構成されるＵＤＩのデータフォーマットを示す。ＵＤＩをサブコードのＱチャンネルのフォーマットで記録するので、サブコードの１フレーム（９８ビット）が２ビットの同期ビット部と、４ビットのコントロールビット部（ＣＴＬ）と、４ビットのアドレスビット部（ＡＤＲ）と、７２ビットのデータビット部と、１６ビットのＣＲＣとにより構成される。アドレスビット部の４ビットは、モード７を示す値とされている。
【００４８】
７２ビットのデータエリア中の先頭の８ビットがＵＤＩインデックスであり、残りの６４ビットがＵＤＩのデータ本体（ペイロード）である。図１０Ａに示すデータフォーマットは、Ｐ−ペイロードおよびＲ−ペイロードの両者で共通である。図１０Ｂは、ヘッダとしてのペイロード０のデータフォーマットを示す。ペイロード０を含むサブコードフレームは、プリプレスで記録されている。
【００４９】
図１１Ａに示すように、ＵＤＩインデックスは、何番目のペイロードかを示すペイロードナンバー（６ビット）と、ペイロードステータス（２ビット）とからなる。ペイロードナンバーは、１からインクリメントする値で、ペイロードの個数としては、例えば最小が１で、最大が６３とされている。ペイロード０の場合では、ペイロードナンバーが０とされる。ペイロードナンバーおよびペイロードステータスは、図１１Ｂに示すように、定義されている。ペイロードステータスの定義を下記に示す。
【００５０】
００：ヘッダおよびプリプレスされたＰ−ペイロード
０１：プリ記録されたＰ−ペイロード
１０：記録されたＲ−ペイロード（記録済み）
１１：未記録のＲ−ペイロード
すなわち、２ビットのペイロードステータスは、その後に続くペイロードに対する識別子である。
【００５１】
ＵＤＩは、ディスク上の例えばプログラムエリア内に設けられているＵＤＩエリアに記録される。ＵＤＩエリアには、プリプレスペイロードのエリア、プリ記録ペイロードのエリア、レコーダブルペイロードのエリアが順に設けられる。ＵＤＩエリアの先頭には、ＵＤＩヘッダとしてのペイロード０が記録される。
【００５２】
図１２Ａは、ペイロード０のデータフォーマットを示す。ペイロード０を含むサブコードフレームは、プリプレスで記録されている。ペイロード０には、最後のペイロードナンバー（６ビット）、プリプレスペイロードスタートナンバー（６ビット）、プリ記録ペイロードスタートナンバー（６ビット）、レコーダブルペイロードスタートナンバー（６ビット）、エラーコレクション（１ビット）、セキュリティ（３ビット）、ＥＣＣ（１６ビット）が含まれている。残りの２０ビットは、未定義とされ、将来に定義可能とされている。ペイロード０のペイロードナンバーは、０とされている。
【００５３】
図１２Ｂは、ペイロード０の各フィールドの値を示している。最後のペイロードナンバーの値は、１〜６３の範囲内の値をとりうる。プリプレスペイロードスタートナンバー、プリ記録ペイロードスタートナンバー、レコーダブルペイロードスタートナンバーは、それぞれ０〜６３の範囲内の値をとりうる。この値が０の場合は、ペイロードが存在しないことを示している。
【００５４】
エラーコレクション（１ビット）は、値”０”　がＥＣＣがされてないことを意味し、値”１”　がＥＣＣがされていることを意味する。セキュリティの値が（０００）の場合は、セキュアでないことを意味し、これが（１００）の場合は、セキュアであることを意味する。他の値は、未定義である。ＥＣＣは、ＥＣＣパリティ（エラーコレクション＝”１”　の場合）か、ゼロデータ（エラーコレクション＝”０”　の場合）とされている。
【００５５】
図１３は、Ｐ−ペイロードのデータフォーマットを示す。ＥＣＣがない場合のデータフォーマットが図１３Ａに示され、ＥＣＣがある場合のデータフォーマットが図１３Ｂに示されている。
【００５６】
図１４は、Ｒ−ペイロードのデータフォーマットを示す。ＥＣＣがない場合のデータフォーマットが図１４Ａに示され、ＥＣＣがある場合のデータフォーマットが図１４Ｂに示されている。マスタリングによって作成された段階では、ペイロードフィールド、ＥＣＣフィールド（若しＥＣＣが適用される場合）およびＣＲＣフィールドが”１”　に設定される。１６ビットのＣＲＣの初期値が０とされ、図１０Ａに示すデータ（コントロールＣＴＬ，アドレスＡＤＲ，ＵＤＩインデックスおよびペイロード）から１６ビットのＣＲＣが計算され、計算結果がＡＵＸとして挿入される。記録がなされる場合、記録されるデータに応じてＣＲＣが計算され、その結果がＣＲＣに記録される。このような処理は、Ｒ−ペイロードに対する記録の前後の何れにおいても、エラーがなければ、ＣＲＣ検出の結果が正しくなるようにするためである。
【００５７】
図１５は、ＵＤＩの追加記録の方法をより具体的に説明するための図である。フレームシンクは、２４ビット（チャンネルビット）の長さとされ、反転間隔が１１Ｔ，１１Ｔとされ、その後に２Ｔが付加されたものである。二つの１１Ｔと、ピットおよびランドの対応の仕方によってパターンＡとパターンＢとがありうる。最初にパターンＡについて説明する。
【００５８】
フレームシンクとサブコードのシンボルとの間に３ビットの結合ビット（０００）が挿入される。ＵＤＩを記録する場合、スタンピングで成形された光ディスク上のサブコードシンボルは、（０ｘ４７）とされる。０ｘは、１６進表記を意味する。この８ビットをＥＦＭ変調した結果の１４ビットのパターン（００１００１００１００１００）が図１５に示されている。
【００５９】
そして、二つのピットの間の斜線領域に対して追加記録用のレーザビームを照射する。その結果、斜線領域の反射率が低下し、記録後では、二つのピットが結合した一つのピットとして再生される。この場合の１４ビットのパターンが（００１００１００００００００）となる。これは、ＥＦＭ復調した場合には、（０ｘ０７）の８ビットとして復調される。
【００６０】
前側の１１Ｔがランドであり、後側の１１ＴがピットであるパターンＢの場合では、結合ビットが（００１）となる。この場合も、パターンＡと同様に、斜線領域にレーザビームを照射することによって、サブコードの８ビットを（０ｘ４７）から（０ｘ０７）へと変化させることができる。
【００６１】
図１６Ａに示すように、サブコードの８ビットは、９８フレーム中で同期信号のフレームとされる先頭の２フレーム以外の９６フレームでは、各ビットがチャンネルＰ，Ｑ，Ｒ，Ｓ，Ｔ，Ｕ，Ｖ，Ｗのビットにそれぞれ対応している。したがって、０ｘ４７を０ｘ０７へ変化させることは、図１６Ａから明らかなように、チャンネルＱ以外のビットを変化させることなしに、チャンネルＱのビットのみを”１”　か”０”　に変化させることである。したがって、プリ記録されるデータの各ビットは、記録前では、全て”１”　であり、レーザビームが照射された箇所のみが”０”　となされる。
【００６２】
図１６Ｂは、追加記録の方法の他の例を示す。ＵＤＩのビットが”０”　の場合では、サブコードの８ビットを（０ｘ４０）から（０ｘ００）へ変化させる例である。この他の例においても、チャンネルＱ以外のビットを変化させることなしに、チャンネルＱのビットのみを”１”　から”０”　へ変化させることができる。
【００６３】
さらに、図１６Ａおよび図１６Ｂの例では、チャンネルＰが”０”　の値とされている。チャンネルＰは、曲間で”１”　となり、曲データ内で”０”　となるものである。曲間は、２〜３秒程度と短く、曲間と再生装置が判断すると、そこに記録されているサブコードを読まないことがあるので、ＵＤＩを記録する場所としては、曲間は、不適当である。上述したように、Ｐ＝”０”　とすることによって、ＵＤＩを曲の部分に記録することができる。
【００６４】
ＵＤＩが記録されたＵＤＩエリアは、ディスク上の固定の位置に形成される。反射膜に対する追加記録の方法として、ディスクを１倍速で回転させて記録する方法を使用すると、ディスクのプログラム領域に全体的にＵＤＩを記録すると、記録に要する時間が長くなるので、例えばプログラム領域の先頭部分にＵＤＩエリアを設けてそこにＵＤＩを記録するようになされる。
【００６５】
ＣＤの規格では、サブコードのＱチャンネルに関しては、割合からの規定がなされている。すなわち、上述したように、モード１のサブコードは、ディスク上でどの連続する１０サブコードフレームをとっても９サブコードフレーム以上入っていることが必要とされている。モード１以外のモード２、モード３のサブコードの場合は、連続する１００サブコードフレーム中で１個以上存在していれば良いと規定されている。
【００６６】
このような割合の規格を満たしつつ、ＵＤＩを固定位置に記録することが可能な記録方法について説明する。図１７は、ＵＤＩの記録レイアウトの一例である。ＵＤＩは、モード７のサブコードとしている。ＵＤＩエリアの先頭にペイロード０が記録される。ペイロード０および他のペイロードを記録する場合に、エラー対策のために、多重書きがなされる。図１７の例では、５重記録がなされている。ペイロード０の後に、ペイロード１が記録される。５重記録を行う場合、同じペイロードナンバーのものをまとめて５重に記録するようになされる。
【００６７】
ＣＤ等では、プログラム領域が開始して、トラック＝０１、インデックス＝００で表される無音（曲間）が２秒程度存在してから、トラックスタートタイムＳから最初の曲が始まる。トラックスタートタイムＳから１秒後の位置からＵＤＩが記録される。ペイロードが１２フレーム（サブコードフレーム意味である。）間隔の位置（Ｓ＋００（分）：０１（秒）：００（フレーム），Ｓ＋００：０１：１２，・・・・）に配置される。ＵＤＩが記録されていない箇所にモード１のサブコードが記録可能とされている。（Ｓ＋００：０１：６０）の位置にペイロード１の最初のものが記録される。最初のペイロードの記録位置の前の９サブコードフレームと、最後のペイロードの後の９サブコードフレームのエリアは、モード１のサブコードが記録されるエリアである。なお、モード１は、他のモード２／３と比較して重要度が高いので、モード１に関する割合の規格に反してはならないが、場合によっては、モード２／３の割合に関する規格を満たさなくても良い。例えばモード２／３の記録可能なエリアを省略しても良い。
【００６８】
図１７に示す記録レイアウトにおけるサブコードフレームの数値の例は、一例であって、種々の数値を使用することが可能である。しかしながら、多重書きされるペイロードのデータを配置する間隔は、図１または図２を参照して説明したように、多重書きされる複数（ここでは５個）のデータがディスクの径方向に並ばないで、トラック上に広く分散されるようになされる。上述した１２フレームの間隔は、この条件を満たすものである。
【００６９】
ディスク上でＵＤＩを記録する位置によって円周（トラックの１周）の長さが決まる。例えば記録する位置を直径で約５０ｍｍ−５１ｍｍの位置とした場合、１周が約１５７．１ｍｍ−１６０．２ｍｍとなる。一方、１サブコードフレーム（１セクタ）は、１／７５（ｓｅｃ）である。ＣＤは、線速度が一定で例えば１．２（ｍ／ｓｅｃ）とされているので、１／７５（ｓｅｃ）の期間の変位が１６ｍｍである。したがって、１０フレーム、１１フレーム、１２フレーム、１３フレームに対応する間隔がそれぞれ１６０ｍｍ、１７６ｍｍ、１９２ｍｍ、２０８ｍｍとなる。
【００７０】
これらの値の中で、１０フレームの場合の１６０ｍｍが略１周の長さに等しく、１０フレームに間隔を設定すると、多重書きされる５個のペイロードがディスク直径方向に並んでしまい、エラー耐性が弱くなる。１６０ｍｍの１．２倍の値（１９２ｍｍ）が５重書きの場合には、データの間隔を広くする点で好ましい。上述した１２フレーム間隔の場合の値が１９２ｍｍである。したがって、一実施形態では、５重書きされるデータの間隔を１２フレームに設定している。
【００７１】
若し、ＵＤＩの記録位置、多重書きの回数のｎ、線速度が相違する場合には、データの間隔の数値が１２フレーム以外の値となる。また、１．１５（ｍ／ｓｅｃ）のように、多少線速度が規格から外れていても、既存のＣＤプレーヤまたはＣＤ−ＲＯＭドライブによって再生可能である。この線速度の場合には、５重書きされる５個のデータの間隔の内で、一つの間隔のみが１２フレームより大きな値とするようにしても良い。すなわち、等間隔とは限られない。
【００７２】
図１８は、この発明によるデータ記録媒体を作成するためのマスタリング装置の構成の一例を示す。マスタリング装置は、例えばＡｒイオンレーザ、Ｈｅ−ＣｄレーザやＫｒイオンレーザ等のガスレーザや半導体レーザであるレーザ５１と、このレーザ５１から出射されたレーザ光を変調する音響光学効果型または電気光学型の光変調器５２と、この光変調器５２を通過したレーザ光を集光し、感光物質であるフォトレジストが塗布されたディスク状のガラス原盤５４のフォトレジスト面に照射する対物レンズ等を有する記録手段である光ピックアップ５３を有する。
【００７３】
光変調器５２は、記録信号にしたがって、レーザ５１からのレーザ光を変調する。そして、マスタリング装置は、この変調されたレーザ光をガラス原盤５４に照射することによって、データが記録されたマスタを作成する。また、光ピックアップ５３とガラス原盤５４との距離が一定に保つように制御したり、トラッキングを制御したり、スピンドルモータ５５の回転駆動動作を制御するためのサーボ回路（図示せず）が設けられている。ガラス原盤５４がスピンドルモータ５５によって回転駆動される。
【００７４】
光変調器５２には、加算器７４からの記録信号が供給される。入力端子６１ａおよび６１ｂから、記録するメインのディジタルデータが供給される。入力端子６１ａからのデータがＣＤ−ＲＯＭエンコーダ７５によってＣＤ−ＲＯＭのフォーマットに変換されてから、ＣＩＲＣ（Ｃｒｏｓｓ　Ｉｎｔｅｒｌｅａｖｅ　Ｒｅｅｄ−Ｓｏｌｏｍｏｎ　Ｃｏｄｅ）エンコーダ６７に供給される。入力端子６１ｂに入力されるデータは、ＣＤ−ＲＯＭフォーマットとされているものであり、ＣＤ−ＲＯＭエンコーダ６７を介さずにＣＩＲＣエンコーダ６７に供給される。
【００７５】
ＣＩＲＣエンコーダ６７は、エラー訂正用のパリティデータ等を付加するエラー訂正符号化処理やスクランブル処理を行う。すなわち、１サンプルあるいは１ワードの１６ビットが上位８ビットと下位８ビットとに分割されてそれぞれシンボルとされ、このシンボル単位で、例えばＣＩＲＣによるエラー訂正用のパリティデータ等を付加するエラー訂正符号化処理やスクランブル処理が施される。
【００７６】
入力端子６２からは、現行のＣＤ規格に基づいたチャンネルＰ〜Ｗのサブコード（通常のサブコードと称する）が供給される。通常のサブコードには、モード１のみならず、モード２、モード３のサブコードも含まれる。入力端子６３からは、プリプレスＵＤＩデータが供給される。プリプレスＵＤＩデータは、スタンパユニークなプリプレスペイロードを含むデータである。
【００７７】
入力端子６４からは、プリ記録ＵＤＩデータが供給される。入力端子６５からは、レコーダブルＵＤＩデータが供給される。プリ記録ＵＤＩデータおよびレコーダブルＵＤＩデータにそれぞれ含まれるペイロードは、上述したように、（０ｘ４７）または（０ｘ４０）のデータに基づくもので、全て”１”　のデータである。さらに、入力端子６６からは、フレームシンクが供給される。
【００７８】
入力端子６２、６３、６４および６５からのデータがスイッチ回路６８の入力端子ａ，ｂ，ｃ，ｄにそれぞれ供給される。スイッチ回路６８で選択されたデータがサブコードがサブコードエンコーダ７０にてサブコードのフレームフォーマットに変換される。スイッチ回路６８およびサブコードエンコーダ７０に対しては、切替信号生成器７１からの切替信号が供給される。
【００７９】
切替信号生成器７１は、フレームシンクとマスタリング装置の全体を制御するコントローラ（図中ではＣＰＵと記す）７２からの指示信号に基づいて切替信号を生成する。上述したように、ディスク上でＵＤＩエリアの位置が固定位置とされ、また、ＵＤＩエリア内でＵＤＩデータ（モード７のサブコード）が記録される位置も固定化されている。フレームシンクは、多重書きの場合の間隔等を所定のものに設定するのに使用される。サブコードエンコーダ７０は、切替信号に応じてスイッチ回路６８の出力端子ｅに取り出されたデータをサブコードフォーマットへ変換する。
【００８０】
なお、図１０Ａに示すデータフォーマットにおいて、同期ビット、コントロールビット、アドレスビットおよびＵＤＩインデックスは、反射膜に対する記録方法で記録しても良いし、プリプレスによって凹凸パターンとして記録するようにしても良い。ＣＲＣビットは、記録されるペイロードにしたがって計算されるので、プリプレスで記録することができない。上述したＡＵＸ（図１４参照）で示すように、ペイロード中の１６ビットの値を指定することによって、本来のＣＲＣビットが全て”１”　であってもＣＲＣエラーが生じないようにすることも可能である。
【００８１】
ＣＩＲＣエンコーダ６７からのメインデータとサブコードエンコーダ７０の出力とが加算器６９でミックスされる。加算器６９の出力がＥＦＭ変調器７３に供給され、変換テーブルにしたがって８ビットのシンボルが１４チャンネルビットのデータへ変換される。ＥＦＭ変調器７３の出力が加算器７４に供給される。加算器７４には、入力端子６６からのフレームシンクが供給され、加算器７４からは、上述したフレームフォーマットの記録信号が発生する。この記録信号が光変調器５２に供給され、光変調器５２からの変調されたレーザビームによってガラス原盤５４上のフォトレジストが露光される。このように記録がなされたガラス原盤５４を現像し、電鋳処理することによってメタルマスタを作成し、次に、メタルマスタからマザーディスクが作成され、さらに次に、マザーディスクからスタンパが作成される。スタンパーを使用して、圧縮成形、射出成形等の方法によって、光ディスクが作成される。この光ディスクは、通常のＣＤと同様のものであるが、前述したように、ＵＤＩを追加記録可能なように、反射膜の材料が選定されたものである。
【００８２】
図１９は、上述したマスタリングおよびスタンピングによって作成された光ディスクに対してＵＤＩデータを追加記録するための記録再生装置の構成の一例を示す。追加記録されるＵＤＩデータとしては、プリ記録ペイロードとレコーダブルペイロードの両方がある。図１３の構成は、何れのペイロードも記録できるものである。但し、両方を記録できる必要はなく、一方のみを記録できるようにしても良い。
【００８３】
図１９において、参照符号８１がマスタリング、スタンピングの工程で作成されたディスクを示す。参照符号８２がディスク８１を回転駆動するスピンドルモータであり、８３がディスク８１に記録された信号を再生すると共に、ＵＤＩを記録するための光ピックアップである。光ピックアップ８３は、レーザ光をディスク８１に照射する半導体レーザ、対物レンズ等の光学系、ディスク８１からの戻り光を受光するディテクタ、フォーカスおよびトラッキング機構等からなる。記録時と非記録時とで、レーザパワーが切り換えられる。記録時では、反射膜に対して反射率の変化を生じさせるのに必要なパワーのレーザが使用され、非記録時では、ディスク８１上に記録されている情報を読み取るのに必要なパワーのレーザが使用される。さらに、光ピックアップ８３は、スレッド機構（図示しない）によって、ディスク８１の径方向に送られる。
【００８４】
光ピックアップ８３の例えば４分割ディテクタからの出力信号がＲＦ部８４に供給される。ＲＦ部８４は、４分割ディテクタの各ディテクタの出力信号を演算することによって、再生（ＲＦ）信号、フォーカスエラー信号、トラッキングエラー信号を生成する。再生信号がシンク検出部８５に供給される。シンク検出部８５は、各フレームの先頭に付加されているフレームシンクを検出する。検出されたフレームシンク、フォーカスエラー信号、トラッキングエラー信号がサーボ回路８６に供給される。サーボ回路８６は、ＲＦ信号の再生クロックに基づいてスピンドルモータ８２の回転動作を制御したり、光ピックアップ８３のフォーカスサーボ、トラッキングサーボを制御する。
【００８５】
フレームシンク検出部８５から出力されるメインデータがサブコード検出器８７を介してＥＦＭ復調器８８に供給され、ＥＦＭ復調の処理を受ける。ＥＦＭ復調器８８からのメインディジタルデータは、必要に応じて図示しない出力端子に取り出される。ＥＦＭ復調器８８からのサブコードデータがサブコードデコーダ８９に供給される。サブコードデコーダ８９は、各フレームの８ビットのサブコードを９８フレーム分集めてサブコードフレームのデータを構成する。
【００８６】
サブコードデコーダ８９の出力に対してＵＤＩエリアおよびペイロード０の検出器９０が接続されている。検出器９０は、ペイロードエリアからペイロード０のデータを検出し、ペイロード０のデータの多重記録に基づくエラー訂正を行う。ペイロード０のデータからＵＤＩエリアの構成が分かり、プリ記録ペイロードまたはレコーダブルペイロードの記録位置が分かる。検出器９０からの情報がＵＤＩエンコーダ９２およびサブコードエンコーダ９３に供給される。
【００８７】
参照符号９１で示す入力端子からのデータがＵＤＩエンコーダ９２に対して供給される。ＵＤＩエンコーダ９２は、ＵＤＩのペイロードが発生し、サブコードエンコーダ９３において、サブコードのフォーマットに変換される。サブコードエンコーダ９３の出力がスイッチ回路９４の入力端子ｆに供給される。スイッチ回路９４は、検出器９０の出力によって制御され、プリ記録ペイロードを記録する場合では、出力端子ｇが選択され、レコーダブルペイロードを記録する場合では、出力端子ｈが選択される構成とされている。
【００８８】
スイッチ回路９４の出力端子ｇからのプリ記録ペイロードのデータが記録部９５に供給され、その出力端子ｈからのレコーダブルペイロードのデータが記録部９６に供給される。記録部９５および９６に対してサブコード検出器８７からのサブコードが供給されている。記録部９５および９６の出力が光ピックアップ８３に対して供給される。記録部９５および９６は、０ｘ４７（または０ｘ４０）として記録されているサブコードを０ｘ０７（または０ｘ００）へ変化させる場合にレーザパワーを記録パワーに変更する出力を発生する。
【００８９】
なお、図１９に示す構成は、９８ビットの１フレームの全体を記録するのか、またはその内の一部をプリプレスで記録するのかに応じてとりうる構成を変更できる。さらに、ＵＤＩエリアが固定位置とされている場合では、プリ記録する位置、レコーダブルエリアの配置が分かるので、再生されたサブコード（時間コード）を見て、記録位置を決定し、決定した位置にデータを記録することができる。
【００９０】
この発明は、上述したこの発明の一実施形態等に限定されるものでは無く、この発明の要旨を逸脱しない範囲内で様々な変形や応用が可能である。例えばＵＤＩエリアは、ディスクのプログラムエリアに限らず、リードインエリア内に設けるようにしても良い。また、ＵＤＩは、多重書きされるデータの一例であって、ＵＤＩ以外のデータを多重書きする場合に対してもこの発明を適用できる。
【００９１】
この発明は、例えばＣＤ−ＤＡのフォーマットのデータとＣＤ−ＲＯＭのフォーマットのデータをそれぞれ記録するマルチセッションの光ディスクに対しても適用できる。また、光ディスクに記録される情報としては、オーディオデータ、ビデオデータ、静止画像データ、文字データ、コンピュータグラフィックデータ、ゲームソフトウェア、コンピュータプログラム等の種々のデータが可能である。さらに、この発明は、例えばＤＶＤビデオ、ＤＶＤ−ＲＯＭに対しても適用できる。
【００９２】
【発明の効果】
以上の説明から明らかなように、この発明によれば、複数個の同一データを記録する、多重書きの場合に、複数個のデータの間隔をなるべく離すようにしているので、媒体上の傷、パーストエラーによって全てのデータがエラーとなるおそれを低くすることができ、エラーに対する耐性を強化することが可能となる。また、ディスクの線速度、記録位置、多重書きの回数等を考慮することによって、最適な間隔を求めることができる。
【図面の簡単な説明】
【図１】この発明を同心円トラックを有するディスクに対して適用した場合のいくつかの例を説明するための略線図である。
【図２】この発明を渦巻きトラックを有するディスクに対して適用した場合の二つの例を説明するための略線図である。
【図３】この発明をカード状記録媒体に対して適用した場合の二つの例を説明するための略線図である。
【図４】従来のＣＤの記録パターンとＣＤの構造を説明するための略線図である。
【図５】この発明の一実施形態におけるディスクの製造工程を説明するための略線図である。
【図６】ＣＤのフレームフォーマットを説明するための略線図である。
【図７】Ｑチャンネルのサブコードのサブコードフレームを説明するための略線図である。
【図８】時間情報をＱチャンネルのサブコードとして記録するためのモード１のフォーマットを示す略線図である。
【図９】ＴＯＣ領域におけるサブコードのフォーマットを説明するための略線図である。
【図１０】この発明の一実施形態においてＱチャンネルのサブコードとしてＵＤＩを記録する場合のフレームフォーマットの説明に用いる略線図である。
【図１１】この発明の一実施形態におけるＵＤＩインデックスの構成とペイロードステータスの定義を説明するための略線図である。
【図１２】この発明の一実施形態におけるペイロード０の構成と各フィールドの値の定義を説明するための略線図である。
【図１３】この発明の一実施形態におけるＰ−ペイロードの構成を説明するための略線図である。
【図１４】この発明の一実施形態におけるＲ−ペイロードの構成を説明するための略線図である。
【図１５】この発明の一実施形態におけるＵＤＩの記録方法の説明に用いる略線図である。
【図１６】この発明の一実施形態におけるＵＤＩの記録方法の説明に用いる略線図である。
【図１７】ＵＤＩエリアのレイアウトの一例の説明に用いる略線図である。
【図１８】この発明の一実施形態であるマスタリング装置の構成の一例を示すブロック図である。
【図１９】この発明の一実施形態であるＵＤＩ記録装置の構成の一例を示すブロック図である。
【符号の説明】
２・・・反射膜、５１・・・レーザ、５３・・・光ピックアップ、５４・・・ガラス原盤、６２・・・通常のサブコードの入力端子、６３・・・プリプレスＵＤＩデータの入力端子、６４・・・プリ記録ＵＤＩデータの入力端子、６５・・・レコーダブルＵＤＩデータの入力端子、８１・・・マスタリングによって作成されたディスク
【図１】
2004030701.tif 000003
【図２】
2004030701.tif 000004
【図３】
2004030701.tif 000005
【図４】
2004030701.tif 000006
【図５】
2004030701.tif 000007
【図６】
2004030701.tif 000008
【図７】
2004030701.tif 000009
【図８】
2004030701.tif 000010
【図９】
2004030701.tif 000011
【図１０】
2004030701.tif 000012
【図１１】
2004030701.tif 000013
【図１２】
2004030701.tif 000014
【図１３】
2004030701.tif 000015
【図１４】
2004030701.tif 000016
【図１５】
2004030701.tif 000017
【図１６】
2004030701.tif 000018
【図１７】
2004030701.tif 000019
【図１８】
2004030701.tif 000020
【図１９】
2004030701.tif 000021